(57)【要約】【課題】異なるジョブでの記録済用紙が排紙トレイに積み重ねられるのを防止できる画像処理装置を提供する。【解決手段】画像処理装置１は、排紙トレイ３３と、コピージョブ又はプリンタジョブである第１の画像処理ジョブを実行して画像が記録された用紙Ｐを排紙トレイ３３に排紙するジョブ実行部（制御部３、画像読取部５、画像記録部７、表示部９、操作部１１、ＲＯＭ１７、ＲＡＭ１９及び画像メモリ２１）と、排紙トレイ３３が使用されているか判断する判断部（制御部１、ＲＯＭ１７、ＲＡＭ１９及びスロット２７）と、排紙トレイ３３が使用されていると上記判断部で判断されると、第１の画像処理ジョブの実行を禁止する禁止部（制御部１、ＲＯＭ１７及びＲＡＭ１９）と、を備える。【選択図】図１
2008167335.tif 000002
【特許請求の範囲】
【請求項１】
排紙トレイと、
コピージョブ又はプリンタジョブである第１の画像処理ジョブを実行して画像が記録された用紙を前記排紙トレイに排紙するジョブ実行部と、
前記排紙トレイが使用されているか判断する判断部と、
前記排紙トレイが使用されていると前記判断部で判断されると、第１の画像処理ジョブの実行を禁止する禁止部と、を備える
ことを特徴とする画像処理装置。
【請求項２】
複数の前記排紙トレイが備えられる場合において、複数の前記排紙トレイの全てが使用されていると前記判断部で判断されると、前記禁止部は第１の画像処理ジョブの実行を禁止する
ことを特徴とする請求項１に記載の画像処理装置。
【請求項３】
前記画像処理装置は、原稿の画像を読み取る読取処理及び給紙された用紙に画像を記録して前記排紙トレイにその用紙を排紙する記録処理の少なくとも一方を含む第２の画像処理ジョブを実行する機能を有しており、
前記画像処理装置は、
前記画像処理装置に付属している携帯可能な報知装置と、
前記画像処理装置に前記報知装置を着脱自在に装着するための装着部と、
所定の状態になると報知する第２の画像処理ジョブを、ユーザが前記報知装置を前記画像処理装置から外したタイミングに基づいて特定する特定部と、をさらに備え、
前記報知装置は、前記特定部で特定された第２の画像処理ジョブが前記所定の状態になることに基づいて送信された無線信号を受信することにより作動して前記ユーザに前記所定の状態を報知し、
前記特定部で特定された第２の画像処理ジョブが前記記録処理を含む場合、前記画像処理装置から外された前記報知装置が前記画像処理装置に戻されるまで、前記判断部は前記排紙トレイが使用されていると判断する
ことを特徴とする請求項１又は２に記載の画像処理装置。
【請求項４】
前記画像処理装置の操作部を操作することにより、前記禁止部での第１の画像処理ジョブの実行の禁止を解除することができる
ことを特徴とする請求項１〜３のいずれか一項に記載の画像処理装置。
【請求項５】
前記排紙トレイに排紙された用紙を検知するセンサをさらに備え、
前記センサが用紙を検知していると、前記判断部は前記排紙トレイが使用されていると判断する
ことを特徴とする請求項１又は２に記載の画像処理装置。
【請求項６】
前記排紙トレイが使用されていると前記判断部で判断されると、第１の画像処理ジョブの実行が禁止されていることについての警告を発することが可能な警告部をさらに備える
ことを特徴とする請求項１〜５のいずれか一項に記載の画像処理装置。
【発明の詳細な説明】
【技術分野】
【０００１】
本発明は、例えば、コピー、ファクシミリ、スキャナ及びプリンタの機能を有するデジタル複合機のような画像処理装置に関する。
【背景技術】
【０００２】
従来から、デジタル複合機と携帯型の送受信装置を組み合わせ、デジタル複合機の状態（例えばコピージョブの終了）を送受信装置に表示する技術が提案されている（例えば特許文献１参照）。この技術によれば、デジタル複合機から離れた場所（例えば自分の机）でコピージョブの終了等を知ることができる。したがって、長時間を要するジョブ（例えば大量のコピー）をデジタル複合機で実行する場合、そのジョブを実行したユーザや次にデジタル複合機を利用する他のユーザは、そのジョブが終了するのをデジタル複合機の設置場所で待つ必要がないので、大変便利である。
【特許文献１】特開平６−２０５４６９号公報
【発明の開示】
【発明が解決しようとする課題】
【０００３】
コピージョブやプリンタジョブが実行されると、画像が記録された用紙（以下、「記録済用紙」と称する）が排紙トレイに排紙される。したがって、例えば、コピージョブが実行されて排紙トレイに記録済用紙が排紙され、その状態で、新たなコピージョブが実行されて同じ排紙トレイに記録済用紙が排紙されると、異なるコピージョブでの記録済用紙が排紙トレイに積み重ねられることになる。
【０００４】
それらのコピージョブの実行を命令したユーザが異なると、自分の記録済用紙を他のユーザに間違って持っていかれる可能性がある。特に上記報知装置を利用している場合、ユーザはデジタル複合機の設置場所にいないので、他のユーザに間違って持っていかれる可能性が一層高くなる。
【０００５】
本発明の目的は、異なるジョブでの記録済用紙が排紙トレイに積み重ねられるのを防止できる画像処理装置を提供することである。
【課題を解決するための手段】
【０００６】
本発明に係る画像処理装置は、排紙トレイと、コピージョブ又はプリンタジョブである第１の画像処理ジョブを実行して画像が記録された用紙を前記排紙トレイに排紙するジョブ実行部と、前記排紙トレイが使用されているか判断する判断部と、前記排紙トレイが使用されていると前記判断部で判断されると、第１の画像処理ジョブの実行を禁止する禁止部と、を備える。
【０００７】
本発明に係る画像処理装置は、複数の前記排紙トレイが備えられる場合において、複数の前記排紙トレイの全てが使用されていると前記判断部で判断されると、前記禁止部は第１の画像処理ジョブの実行を禁止する、ようにすることができる。
これによれば、第１の画像処理ジョブの実行が禁止される事態が発生するのを少なくすることができる。
【０００８】
本発明に係る画像処理装置は、原稿の画像を読み取る読取処理及び給紙された用紙に画像を記録して前記排紙トレイにその用紙を排紙する記録処理の少なくとも一方を含む第２の画像処理ジョブを実行する機能を有しており、前記画像処理装置は、前記画像処理装置に付属している携帯可能な報知装置と、前記画像処理装置に前記報知装置を着脱自在に装着するための装着部と、所定の状態になると報知する第２の画像処理ジョブを、ユーザが前記報知装置を前記画像処理装置から外したタイミングに基づいて特定する特定部と、をさらに備え、前記報知装置は、前記特定部で特定された第２の画像処理ジョブが前記所定の状態になることに基づいて送信された無線信号を受信することにより作動して前記ユーザに前記所定の状態を報知し、前記特定部で特定された第２の画像処理ジョブが前記記録処理を含む場合、前記画像処理装置から外された前記報知装置が前記画像処理装置に戻されるまで、前記判断部は前記排紙トレイが使用されていると判断する、ようにすることができる。
これによれば、排紙トレイに記録済用紙を検知するセンサを設けることなく、排紙トレイが使用されているか判断することが可能となる。
【０００９】
本発明に係る画像処理装置において、前記画像処理装置の操作部を操作することにより、前記禁止部での第１の画像処理ジョブの実行の禁止を解除することができる、ようにすることができる。
これによれば、例えば、報知装置が画像処理装置に戻されなくても、第１の画像処理ジョブの実行の禁止を解除することができる。したがって、ユーザが報知装置を画像処理装置に戻すのを忘れている場合等に有効となる。
【００１０】
本発明に係る画像処理装置は、前記排紙トレイに排紙された用紙を検知するセンサをさらに備え、前記センサが用紙を検知していると、前記判断部は前記排紙トレイが使用されていると判断する、ようにすることができる。
これによれば、排紙トレイから記録済用紙が既に取り去られているにもかかわらず、排紙トレイが使用されていると判断されるのを防止することができる。
【００１１】
本発明に係る画像処理装置は、前記排紙トレイが使用されていると前記判断部で判断されると、第１の画像処理ジョブの実行が禁止されていることについての警告を発することが可能な警告部をさらに備える、ようにすることができる。
これによれば、第１の画像処理ジョブの実行を命令する前に、第１の画像処理ジョブの実行が禁止されていることについて知ることができる。
【発明の効果】
【００１２】
本発明に係る画像処理装置によれば、排紙トレイが使用されていると判断されると、第１の画像処理ジョブの実行が禁止される。したがって、異なるジョブでの記録済用紙が排紙トレイに積み重ねられるのを防止できる。
【発明を実施するための最良の形態】
【００１３】
本発明の実施形態について、まず、第１の画像処理ジョブ及び第２の画像処理ジョブから説明する。第１の画像処理ジョブは、コピージョブやプリンタジョブである。これらのジョブは、給紙された用紙に画像を記録して排紙トレイにその用紙を排紙する記録処理を含む。
【００１４】
一方、第２の画像処理ジョブは、原稿の画像を読み取る読取処理及び給紙された用紙に画像を記録して排紙トレイにその用紙を排紙する記録処理の少なくとも一方を含むジョブである。具体的には、第１の画像処理ジョブ（コピージョブ、プリンタジョブ）の他に、スキャナジョブやファクシミリジョブが第２の画像処理ジョブに該当する。
【００１５】
第１の画像処理ジョブや第２の画像処理ジョブは、画像処理装置の外部からの命令により開始する。外部からの命令とは、コピージョブ、ファクシミリの送信ジョブ、スキャナジョブの場合、画像処理装置の操作部に設けられたスタートキーを操作することであり、プリンタジョブの場合、パソコンに表示された印刷ジョブの画面の印刷ボタンをクリックすることであり、ファクシミリの受信ジョブの場合、相手先から送信された画像データを画像処理装置が受信することである。
【００１６】
次に、図１を用いて本実施形態に係る画像処理装置１のハードウェア構成を説明する。画像処理装置１は、デジタル複合機である。画像処理装置１として、スキャナとプリンタとが分離した形態（例えば、スキャナとプリンタとがＬＡＮ等のネットワークを介して接続された形態）でもよい。
【００１７】
画像処理装置１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５、スロット２７、送信機２９等が相互にバス３１で接続された構成を有する。制御部３は、例えばＣＰＵにより実現されており、画像処理装置１を構成する上記ハードウェアを制御すると共に画像処理装置１の動作に必要なソフトウェアを実行する。
【００１８】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データを画像に戻し、この画像が記録された用紙Ｐ（記録済用紙）を排紙トレイ３３に排紙する。また、プリンタジョブの場合、画像記録部７は、パソコンから送られた印刷データを基にしてラスタデータを生成して、ラスタデータを用紙Ｐに記録する。そして、画像記録部７は、記録済用紙Ｐを排紙トレイ３３に排紙する。
【００１９】
表示部９は、画像処理装置１の動作状態、相手先名、各種設定内容等を表示する。表示部９は、ＬＣＤ、ＣＲＴ等で実現される。操作部１１は、画像処理装置１の操作に必要なキー（テンキー、スタートキー、リセットキー、各種のファンクションキー等）を備える。
【００２０】
モデム１３は、通常のファクシミリ通信用のファクシミリモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００２１】
ＲＯＭ１７は、フラッシュメモリ等により実現されており、画像処理装置１の動作に必要なソフトウェアを記憶している。ＲＡＭ１９は、ＳＲＡＭ、ＤＲＡＭ等により実現されており、ソフトウェアの実行時に発生するデータを一時的に記憶したり、アプリケーションソフト等を記憶したりする。
【００２２】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、画像処理装置１がＬＡＮと通信可能に接続するインターフェースである。
【００２３】
画像処理装置１には、携帯可能な報知装置３５が付属している。後で説明するように、報知装置３５は、第２の画像処理ジョブが所定の状態（例えば、第２の画像処理ジョブ終了、エラー発生）になったことをユーザに報知する。これにより、ユーザは画像処理装置１から離れた場所にいても、第２の画像処理ジョブが所定の状態になったことを知ることができる。よって、第２の画像処理ジョブに時間がかかる（例えば、コピー処理速度が２８ｃｐｍの画像処理装置１を用いて、２８頁の原稿を２０部コピーする場合、コピー終了までに約２０分かかる）場合に有効となる。
【００２４】
報知装置３５は、通常、スロット２７に差し込まれた状態にされている（図中の実線で示す状態）。スロット２７は、画像処理装置１に報知装置３５を着脱自在に装着するための装着部として機能する。報知装置３５の電源は、一次電池でもよいし、蓄電池でもよい。蓄電池の場合、報知装置３５がスロット２７に差し込まれた状態のときに充電される。蓄電池の状態に応じて自動的に充電してもよいし、ユーザの操作により充電してもよい。
【００２５】
送信機２９は無線信号ＲＳを送信し、報知装置３５との無線通信に利用される。ＬＡＮインターフェース２５が無線ＬＡＮ対応の場合、ＬＡＮインターフェース２５に送信機２９の機能を実行させてもよい。また、送信機２９を画像処理装置１に設けないで、ＬＡＮインターフェース２５を介して接続されている有線ＬＡＮに送信機２９を接続してもよい。
【００２６】
第１の画像処理ジョブを実行するジョブ実行部は、制御部３、画像読取部５、画像記録部７、表示部９、操作部１１、ＲＯＭ１７、ＲＡＭ１９及び画像メモリ２１によって構成される。ジョブ実行部で第１の画像処理ジョブが実行されることにより、排紙トレイ３３に記録済用紙、すなわち画像が記録された用紙Ｐが排紙される。
【００２７】
制御部３、ＲＯＭ１７、ＲＡＭ１９及びスロット２７によって、所定の状態になると報知する第２の画像処理ジョブを、ユーザが報知装置３５を画像処理装置１から外したタイミングに基づいて特定する特定部が構成される。所定の状態とは、例えば、第２の画像処理ジョブの終了や第２の画像処理ジョブのエラーのことである。エラーは、紙詰まりやファクシミリの送信ジョブでの送信エラー等を意味する。送信エラーは、相手先の電話番号の誤りや相手先が話中等の原因で発生する。
【００２８】
次に、報知装置３５の利用の仕方について説明する。図２は、それを説明するフローチャートである。
【００２９】
ユーザが図１の報知装置３５を画像処理装置１から外したか判断される（ステップＳ１）。報知装置３５を画像処理装置１から外すとは、報知装置３５を装着部として機能するスロット２７から抜くことである（図１中の点線で示す状態）。報知装置３５が画像処理装置１から外されないと（ステップＳ１でＮｏ）、ステップＳ１の判断が繰り返される。
【００３０】
報知装置３５が画像処理装置１から外されると（ステップＳ１でＹｅｓ）、画像処理装置１で第２の画像処理ジョブが実行中か判断される（ステップＳ３）。第２の画像処理ジョブが実行中であると（ステップＳ３でＹｅｓ）、そのジョブが、所定の状態になると報知する第２の画像処理ジョブとして特定される（ステップＳ５）。
【００３１】
第２の画像処理ジョブが実行中でないと（ステップＳ３でＮｏ）、すなわち、画像処理装置１が待機中であると、画像処理装置１のスタートキーが操作されたか判断される（ステップＳ７）。スタートキーは操作部１１に設けられている。スタートキーが操作されると（ステップＳ７でＹｅｓ）、そのスタートキーの操作で開始される第２の画像処理ジョブが、所定の状態になると報知する第２の画像処理ジョブとして特定される（ステップＳ５）。なお、ステップＳ５で特定された第２の画像処理ジョブは、報知装置３５を画像処理装置１に戻した、つまり、スロット２７に差し込んだ時点で第２の画像処理ジョブの特定が解除される。これにより、特定された第２の画像処理ジョブと報知装置３５との対応関係が終了する。
【００３２】
以上のようにして第２の画像処理ジョブが特定される。つまり、第２の画像処理ジョブは、次のように、報知装置３５を画像処理装置１から外したタイミングとジョブ開始のタイミングとの関係に基づいて特定される。
（１）報知装置３５を画像処理装置１から外したときに画像処理装置１で実行中の第２の画像処理ジョブがあれば、そのジョブが上記特定部で特定される第２の画像処理ジョブに該当する（ステップＳ３でＹｅｓ、ステップＳ５）。
（２）報知装置３５を画像処理装置１から外したときに画像処理装置１で実行中の第２の画像処理ジョブがなければ、つまり、画像処理装置１が待機中であれば、その後にスタートキーが操作されて最初に実行される第２の画像処理ジョブが、上記特定部で特定される第２の画像処理ジョブに該当する（ステップＳ３でＮｏ、ステップＳ７でＹｅｓ、ステップＳ５）。
【００３３】
コピージョブ、スキャナジョブ、ファクシミリの送信ジョブは（１）及び（２）のいずれでも特定されるが、プリンタジョブやファクシミリの受信ジョブは（１）で特定される。
【００３４】
フローチャートの説明に戻る。ステップＳ５で第２の画像処理ジョブが特定されると、第２の画像処理ジョブにエラーが発生したか判断される（ステップＳ９）。エラーが発生しないと（ステップＳ９でＮｏ）、第２の画像処理ジョブが終了したか判断される（ステップＳ１１）。第２の画像処理ジョブが終了していないと（ステップＳ１１でＮｏ）、ステップＳ９に戻る。
【００３５】
第２の画像処理ジョブにエラーが発生したり（ステップＳ９でＹｅｓ）、第２の画像処理ジョブが終了したりすると（ステップＳ１１でＹｅｓ）、図１の送信機２９から無線信号ＲＳが送信される。言い換えれば、上記特定部で特定された第２の画像処理ジョブが所定の状態になることに基づいて無線信号ＲＳが送信される。ユーザが携帯する報知装置３５で無線信号ＲＳが受信されると、報知装置３５が作動して、第２の画像処理ジョブが所定の状態になったことをユーザに報知する（ステップＳ１３）。なお、第２の画像処理ジョブが所定の状態かを、例えば、ポーリングによって報知装置３５から画像処理装置１に定期的に問い合わせ、その応答として無線信号ＲＳを送信するようにしてもよい。
【００３６】
報知の仕方としては、（１）報知装置３５のスピーカから音を鳴らしたり、報知装置３５を振動させたりしてもよいし、（２）所定の状態になったこと知らせるメッセージを報知装置３５のディスプレイに表示したり、報知装置３５のスピーカから音声で案内してもよい。（２）の場合、例えば、エラーが発生するとエラー発生が通知され、第２の画像処理ジョブが終了するとその終了が通知されるので、ユーザは所定の状態の内容を報知装置３５から知ることができる。
【００３７】
一方、スタートキーが操作されないと（ステップＳ７でＮｏ）、報知装置３５が画像処理装置１から外されてからスタートキーが操作されない時間が所定値（例えば１分）を越えたか判断される（ステップＳ１５）。所定値を越えると（ステップＳ１５でＹｅｓ）、画像処理装置１は、ユーザに対して上記特定部で第２の画像処理ジョブが特定されていないことについての警告を発する（ステップＳ１７）。これにより、第２の画像処理ジョブがまだ特定されていないことをユーザに警告することができる。
【００３８】
警告の仕方としては、（１）画像処理装置１のスピーカから音を鳴らしたり、（２）警告のメッセージを表示部９に表示したり、画像処理装置１のスピーカから音声で案内してもよい。
【００３９】
ステップＳ１５で所定値を越えなければ（ステップＳ１５でＮｏ）、報知装置３５がスロット２７に差し込まれたか判断される（ステップＳ１９）。差し込まれていないと（ステップＳ１９でＮｏ）、ステップＳ７へ戻る。これに対して、報知装置３５がスロット２７に差し込まれると（ステップＳ１９でＹｅｓ）、図２のフローチャートで示す処理が終了する。
【００４０】
以上説明したように、本実施形態に係る画像処理装置１によれば、報知装置３５を画像処理装置１から外したタイミング（つまり、報知装置３５をスロット２７から抜いたタイミング）に基づいて、所定の状態になると報知する第２の画像処理ジョブが特定されるので、第２の画像処理ジョブは画像処理装置１によって自動的に特定されることになる。そして、特定された第２の画像処理ジョブが所定の状態になると、ユーザが携帯する報知装置３５を利用してユーザに報知する。したがって、ユーザは、第２の画像処理ジョブが所定の状態になったことを、特別な操作をすることなく、画像処理装置１から離れた場所で知ることができる。
【００４１】
上記の通り、例えば、ユーザＡがコピージョブ（第２の画像処理ジョブの一例）の終了を報知してもらいたい場合、報知装置３５を利用することにより、コピージョブの終了を報知してもらえる。コピージョブの終了が報知されたユーザＡが、画像処理装置１の設置場所に戻ると、排紙トレイ３３にはそのコピージョブでの記録済用紙が排紙されている。
【００４２】
しかし、ユーザＡが画像処理装置１の設置場所に戻るまでに、例えばユーザＢの命令したコピージョブ（第１の画像処理ジョブの一例）が実行されて同じ排紙トレイ３３に記録済用紙が排紙されると、ユーザＡの記録済用紙とユーザＢの記録済用紙が排紙トレイ３３に積み重ねられた状態となる。したがって、ユーザＡが画像処理装置１の設置場所にいなければ、ユーザＢが間違って、ユーザＡの記録済用紙をユーザＢの記録済用紙と一緒に持って行く可能性がある。
【００４３】
本実施形態に係る画像処理装置１によれば、第１の画像処理ジョブの実行を禁止する機能により、ユーザＢの命令したコピージョブ（第１の画像処理ジョブの一例）の実行を禁止して、排紙トレイ３３にユーザＡの記録済用紙とユーザＢの記録済用紙が積み重ねられないようにしている。以下、第１の画像処理ジョブの実行禁止の機能について、図３を用いて詳細に説明する。
【００４４】
第１の画像処理ジョブを実行する命令がされたか判断される（ステップＴ１）。命令の仕方は、ジョブにより異なる。コピージョブの場合、画像処理装置１の操作部１１に設けられたスタートキーをユーザが操作することである。プリンタジョブの場合、パソコンに表示された印刷ジョブの画面の印刷ボタンをユーザの操作でクリックすることである。
【００４５】
第１の画像処理ジョブを実行する命令がされていないと判断されると（ステップＴ１でＮｏ）、ステップＴ１の判断が繰り返される。一方、そのジョブを実行する命令がされたと判断されると（ステップＴ１でＹｅｓ）、排紙トレイ３３が使用されているか判断される（ステップＴ３）。この判断は、図１の制御部１、ＲＯＭ１７、ＲＡＭ１９及びスロット２７等により構成される判断部で実行される。
【００４６】
排紙トレイ３３が使用されているかの判断は、ステップＴ１でユーザが第１の画像処理ジョブの実行を命令する前に、報知装置３５を使用する他のユーザの第２の画像処理ジョブが実行されていた場合、以下の通りである。第２の画像処理ジョブには、排紙トレイ３３を使用するジョブ（コピージョブ、プリンタジョブ、ファクシミリの受信ジョブ）と、排紙トレイ３３を使用しないジョブ（スキャナジョブ、ファクシミリの送信ジョブ）がある。
【００４７】
他のユーザの第２の画像処理ジョブが、排紙トレイ３３を使用するジョブであれば、画像処理装置１から外された報知装置３５が画像処理装置１に戻されるまで、排紙トレイ３３が使用されていると判断する。すなわち、第２の画像処理ジョブが記録処理を含む場合（コピージョブ、プリンタジョブ、ファクシミリの受信ジョブ）、画像処理装置１から外された報知装置３５が画像処理装置１に戻されるまでは、排紙トレイ３３を使用していると見なしているのである。
【００４８】
このように、報知装置３５を基にして排紙トレイ３３が使用中か判断する態様によれば、記録済用紙を検知するセンサを排紙トレイ３３に設けなくても、排紙トレイ３３が使用されているか判断することが可能となる。なお、上記態様では、報知装置３５が画像処理装置１に戻されない限り、第２の画像処理ジョブでの記録済用紙を排紙トレイ３３から取り去っても、排紙トレイ３３が使用中と判断されることになる。
【００４９】
これに対して、他のユーザの第２の画像処理ジョブが、排紙トレイ３３を使用しないジョブ（スキャナジョブ、ファクシミリの送信ジョブ）であったり、排紙トレイ３３を使用するジョブであるが報知装置３５が画像処理装置１に戻さていたりすれば、排紙トレイ３３が使用されていないと判断する。
【００５０】
排紙トレイ３３が使用されていないと判断されると（ステップＴ３でＮｏ）、画像処理装置１はステップＴ１での第１の画像処理ジョブを受付けて、そのジョブを実行する（ステップＴ５）。これにより、記録済用紙が排紙トレイ３３に排紙される。
【００５１】
一方、排紙トレイ３３が使用されていると判断されると（ステップＴ３でＹｅｓ）、画像処理装置１においてステップＴ１での第１の画像処理ジョブを実行することが禁止される（ステップＴ７）。したがって、第１の画像処理ジョブでの記録済用紙が排紙トレイ３３に排紙されることはない。ステップＴ７の禁止は、図１の制御部１、ＲＯＭ１７及びＲＡＭ１９により構成される禁止部で実行される。
【００５２】
ステップＴ１の第１の画像処理ジョブの実行が禁止されると、そのジョブの実行が禁止されたことが、そのジョブを実行する命令をしたユーザに通知される。コピージョブの場合、表示部９や画像処理装置１に備えられるスピーカを利用して上記通知がなされ、プリンタジョブの場合、そのユーザのパソコンに上記通知が送信される。
【００５３】
以上説明したように、本実施形態に係る画像処理装置１によれば、排紙トレイ３３が使用されていると判断されると、第１の画像処理ジョブの実行が禁止される。したがって、異なるジョブでの記録済用紙が排紙トレイ３３に積み重ねられるのを防止できる。
【００５４】
本実施形態に係る画像処理装置１には以下の態様もある。
（態様１）
複数の排紙トレイ３３が備えられる場合、複数の排紙トレイ３３の全てが使用されていると上記判断部で判断されると、上記禁止部は第１の画像処理ジョブの実行を禁止する。この態様では、複数の排紙トレイ３３の中で使用されていない排紙トレイ３３があれば、上記ジョブ実行部は第１の画像処理ジョブを実行し、記録済用紙を使用されていない排紙トレイ３３に排紙する。したがって、この態様によれば、第１の画像処理ジョブの実行が禁止される事態の発生を少なくすることができる。
【００５５】
複数の排紙トレイ３３が備えられる場合、どのトレイに排紙するかを第１の画像処理ジョブの実行を命令したユーザに報知するようにしてもよい。例えば、２つ（２段）の排紙トレイ３３の場合、上段トレイか下段トレイかを報知する。３つ（３段）以上の排紙トレイ３３の場合、上から何番目のトレイかを報知する。音声で報知してもよいし、排紙トレイ３３の図を表示部９に表示することにより報知してもよい。
【００５６】
（態様２）
画像処理装置１の操作部１１を操作することにより、上記禁止部での第１の画像処理ジョブの実行の禁止を解除することができるようにしてもよい。操作部１１を操作するとは、例えば、実行禁止を解除するパスワードを入力することである。このパスワードは管理者により管理される。この態様では、報知装置３５が画像処理装置１に戻されなくても、第１の画像処理ジョブの実行の禁止を解除することができる。したがって、ユーザが報知装置３５を画像処理装置１に戻すのを忘れている場合等に有効となる。
【００５７】
実行の禁止の解除は一時的でもよい。この場合は、実行の禁止を解除してから実行した第１の画像処理ジョブの終了後、再び実行を禁止する状態となる。実行の禁止が解除されたことを報知装置３５でユーザに報知してもよい。
【００５８】
（態様３）
排紙トレイ３３に排紙された用紙（記録済用紙）を検知するセンサを、排紙トレイ３３に設け、そのセンサを利用して排紙トレイ３３が使用しているか判断してもよい。センサはバス３１に接続されており、センサが記録済用紙を検知していると、排紙トレイ３３が使用されていると判断する。この態様によれば、排紙トレイ３３から記録済用紙が既に取り去られているにもかかわらず、排紙トレイ３３が使用されていると判断されるのを防止することができる。
【００５９】
センサを設けないで、ユーザが操作部１１を操作して、第１の画像処理ジョブの実行の禁止を設定できるようにしてもよい。この場合は、ユーザが操作部１１を操作して実行の禁止を解除するまで、排紙トレイ３３が使用されていると判断する。
【００６０】
（態様４）
排紙トレイ３３が使用されていると判断されると、第１の画像処理ジョブの実行が禁止されていることについての警告を発することが可能な警告部をさらに備える態様でもよい。この態様によれば、第１の画像処理ジョブの実行が禁止されていることについて、事前に、すなわち、ステップＴ１での第１の画像処理ジョブを実行する命令の前に知ることができる。
【００６１】
上記警告部は、制御部３、表示部９、ＲＯＭ１７及びＲＡＭ１９により構成される。音声で警告する場合は、表示部９の替わりに画像処理装置１に備えられるスピーカが、警告部の構成要素となる。
【００６２】
排紙トレイ３３が使用されていると判断される期間（報知装置３５の場合、画像処理装置１から外された報知装置３５が画像処理装置１に戻されるまでの間）、継続的に警告するようにしてもよいし（例えば、表示部９に第１の画像処理ジョブの実行が禁止されていることを表示し続ける）、所定のトリガーで（例えば、赤外線センサが操作部１１の前に立ったユーザを検知すると）警告するようにしてもよい。
【図面の簡単な説明】
【００６３】
【図１】本実施形態に係る画像処理装置のハードウェア構成の一例を示すブロック図である。
【図２】本実施形態に係る画像処理装置に備えられる報知装置の利用の仕方を説明するフローチャートである。
【図３】本実施形態に係る画像処理装置が有する第１の画像処理ジョブの実行禁止の機能を説明するフローチャートである。
【符号の説明】
【００６４】
１・・・画像処理装置、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・スロット、２９・・・送信機、３１・・・バス、３３・・・排紙トレイ、３５・・・報知装置、Ｐ・・・用紙、Ｌ・・・公衆電話回線、ＲＳ・・・無線信号
【図１】
2008167335.tif 000003
【図２】
2008167335.tif 000004
【図３】
2008167335.tif 000005